(57)【特許請求の範囲】
【請求項１】
シャワーヘッド外殻、ハンドルフィルタ、内側の蓋、インペラー、フード、着脱式の警告ポッドおよび信号回路装置を備える、フィルタ交換を事前に警告する装置を備えた手持ち式シャワーヘッドであって、
前記シャワーヘッド外殻は、一体式の部品として押出し成型されたプラスチック製の中空の覆いであり、一体式の本体として、マントルに囲まれ一連の縁の雄ねじ山を備えた表側と反対側を有し、先細の周辺部に形成された一連の管状のねじ山を備えたハンドルの台尻、該ハンドルの台尻に形成された中空の水の進入口、前記表側に内向きに形成された収容部、水の出口の孔ベースと、前記収容部の内側底部にさらに内向きに形成されたインペラーハブノッチを備えたインペラーウェル、前記ハンドルの台尻にある前記中空の水の進入口、前記インペラーウェルの隣接する側を連通させるために形成された水の入り口通路、前記水の出口の孔ベース、および前記インペラーウェルの他方側を連通させるために形成された水の出口通路を有し、
前記ハンドルフィルタは、着脱式ハンドル内に配置されたフィルタカートリッジであり、一連の雌のねじ山がその接合端部に形成されることで、前記ハンドル台尻の前記一連の管状ねじ山と噛み合い、
前記内側の蓋は、前記シャワーヘッド外殻にある前記収容部の底部側にしっかりと装着された平板型のディスクであり、前記シャワーヘッド外殻の前記表側に向く内側面、前記インペラーウェルの前記インペラーハブノッチと対応するように中に形成されたインペラーハブノッチ、前記シャワーヘッド外殻内の前記収容部の前記水の出口の孔ベースと対応するように中に形成された水の出口、およびそのへりに近い縁の周縁部に形成されることで、前記インペラーハブノッチおよび水の出口の周りに分配される複数のねじ穴を有し、
前記インペラーは、半径方向に均等に延在する複数の湾曲した羽根を備えた円筒形状の本体を有し、その頂部側と底部側それぞれに同軸に配置された２つの中央の突出するハブと、１つの羽根の頂部の切欠きに埋め込まれた磁気要素を有することで、該インペラーは、前記インペラーウェルの前記インペラーハブノッチと前記内側の蓋の前記インペラーハブノッチそれぞれに嵌め合う２つの中央の突出ハブを利用して、前記インペラーウェルの中で自由に回転することができ、
前記フードは、一体式の部品として押出し成型されたプラスチック製のディスクであり、底部の縁の周りに形成された輪状の雌ねじ山と、その表面上に広がった複数の水の噴霧穴を有することで、前記輪状の雌ねじ山が、ねじ込み係合によって前記シャワーヘッド外殻の前記表側にある前記縁の雄ねじ山と噛み合うことができ、
前記シャワーヘッド外殻は、そこに埋め込まれた前記着脱式の警告ポッドを有するように、前記反対側に内向きに形成された円形のくぼみソケット、前記くぼみソケットの遠位の内側の壁に形成された末端のラッチ係合刻み目、および前記くぼみソケットの近位の内側の壁に形成されたスナップ式のラッチ係合突起を有し、
前記警告ポッドは、中に前記信号回路装置を収容するために高周波溶融法によって密閉された水密の内部本体にされた、プラスチック製の透明の蓋とプラスチック製の設置用の空洞でできたプラスチック製のカプセルであり、その先端部の縁に形成された末端ラッチ係合突起、その後方の縁に形成されたスナップ式のラッチ係合刻み目、および前記設置空洞の内側の底部壁にしっかりと差し込まれた２つのパッシブ充電電極を有し、該２つのパッシブ充電電極のそれぞれの個々の端部が、前記設置空洞から外に突出しており、
前記信号回路装置は、マイクロプロセッサ、該マイクロプロセッサに電気的に接続され、その位置が前記透明の蓋に近いＬＣＤディスプレイ回路、前記マイクロプロセッサに電気的に接続された充電式電池、および前記設置空洞の内側の底部側にしっかりと差し込まれた磁気リードスイッチを含むことで、前記充電式電池が、一組のワイヤによって前記警告ポッドの前記パッシブ充電電極に接続されることを特徴とする、フィルタ交換を事前に警告する装置を備えた手持ち式シャワーヘッド。
【請求項２】
前記反対側の縁に接する前記ハンドル台尻の頂部面に、指を誘導する溝がさらに形成される、請求項１に記載のフィルタ交換を事前に警告する装置を備えた手持ち式シャワーヘッド。
【請求項３】
前記充電式電池が、ニッケル−クロム電池またはリチウム電池のいずれかである、請求項１に記載のフィルタ交換を事前に警告する装置を備えた手持ち式シャワーヘッド。
【請求項４】
前記警告ポッド内の前記磁気リードスイッチが、ホール効果素子によって置き換えられる、請求項１に記載のフィルタ交換を事前に警告する装置を備えた手持ち式シャワーヘッド。
【請求項５】
一組のアクティブ充電電極を備えた電池充電空洞を含む電池充電台をさらに備え、該アクティブ充電電極が、前記警告ポッドの前記設置空洞内にある前記パッシブ充電電極の対応する組の突出する端部にしっかりと接触し、前記警告ポッド内の前記充電式電池に適した充電作業を行なう、請求項１に記載のフィルタ交換を事前に警告する装置を備えた手持ち式シャワーヘッド。
【請求項６】
前記内側の蓋が、一体式の部品として押出し成型されたプラスチック製の平板型のディスクに適合されることで、適合した内側の蓋が、前記シャワーヘッド外殻内の前記収容部の底部側に厳重に装着された後、高周波溶融法によって一体式の本体として前記シャワーヘッド外殻と合体し、インペラーハブノッチと水の出口を中に有する内向きの面を備えており、前記インペラーハブノッチが、前記インペラーウェルの前記インペラーハブノッチに対応し、前記水の出口が、前記シャワーヘッド外殻にある前記収容部の前記水の出口の孔ベースに対応する、請求項１に記載のフィルタ交換を事前に警告する装置を備えた手持ち式シャワーヘッド。
【請求項７】
シャワーヘッド外殻、ハンドルフィルタ、内側パネル、インペラー、フード、着脱式の警告ポッドおよび信号回路装置を備える、フィルタ交換を事前に警告する装置を備えた手持ち式シャワーヘッドであって、
前記シャワーヘッド外殻は、一体式の部品として押出し成型されたプラスチック製の中空の覆いであり、一体式の本体として、マントルに囲まれ一連の縁の雄ねじ山を備えた表側と反対側を有し、その先細の周辺部に形成された一連の管状のねじ山を備えたハンドルの台尻、該ハンドルの台尻に形成された中空の水の進入口、前記表側に内向きに形成された収容部、そこに埋め込まれた前記着脱式の警告ポッドを有するように前記反対側に内向きに形成された円形のくぼみソケットであって、これにより該くぼみソケットの遠位の内側の壁に末端のラッチ係合刻み目が形成され、インペラーハブノッチを備えたインペラーウェルと、水の出口が、前記ハンドルの台尻の前記中空の水の進入口付近の前記くぼみソケットの近位の内側の底部壁にそれぞれ形成されるくぼみソケット、前記ハンドルの台尻にある前記中空の水の進入口、前記インペラーウェルの隣接する側を連通させるために形成された水の入り口通路、前記水の出口、および前記インペラーウェルの他方側を連通させるために形成された水の出口通路を有し、
前記ハンドルフィルタは、着脱式ハンドル内に配置されたフィルタカートリッジであり、一連の雌のねじ山がその接合端部に形成されることで、前記ハンドル台尻の前記一連の管状ねじ山と噛み合い、
前記内側パネルは、一体式の部品として押出し成型されたプラスチック製の平板型のディスクであり、その頂部面に形成されたスナップ式のラッチ係合突起と、その底部面に形成されたインペラーハブノッチを有し、前記円形くぼみソケット内の前記インペラーウェルの頂部開口部と、前記水の出口の頂部開口部を密封式に塞ぐ役目をしており、その結果、前記内側パネルの底部面が、高周波溶融法によって前記シャワーヘッド外殻の前記反対側にある前記円形くぼみソケットの上部の内側の底部面に密接に装着され、これを密封する際、前記水の出口の下方端部の開口部のみが前記収容部と連通することが可能であり、これにより前記内側パネルの両側が、一体式の本体として前記シャワーヘッド外殻と合体し、
前記インペラーは、半径方向に均等に延びる複数の湾曲した羽根を備えた円筒形状の本体であり、その頂部側と底部側にそれぞれ同軸に配置された２つの中央の突出ハブと、１つの羽根の頂部の切欠きに埋め込まれた磁気要素を有することで、前記インペラーが、前記インペラーウェルの前記インペラーハブノッチと前記内側パネルの前記インペラーハブノッチに嵌め合う２つの中央の突出ハブを利用して、前記インペラーウェルの中で自由に回転することができ、
前記フードは、一体式の部品として押出し成型されたプラスチック製のディスクであり、その底部の縁を囲むように形成された輪状の雌ねじ山と、その表面上に広がった複数の水噴霧穴を有することで、該輪状の雌ねじ山が、ねじ込み係合によって前記シャワーヘッド外殻の前記表側にある前記縁の雄ねじ山と噛み合い、前記水噴霧穴によって前記シャワーヘッド外殻の前記表側にある前記収容部の中の水を外に噴射することができ、
前記警告ポッドは、高周波溶融法によって密閉された水密の一体式の本体にされた、プラスチック製の透明の蓋とプラスチック製の設置空洞によって形成されたプラスチック製のカプセルであり、中に信号回路装置を収容するために前記シャワーヘッド外殻内の前記反対側の前記くぼみソケットに埋め込まれ、その先端部の縁に形成された末端ラッチ係合突起、その後方の縁に形成されたスナップ式ラッチ係合刻み目、および前記設置空洞の内側の底部壁にしっかりと差し込まれた２つのパッシブ充電電極を有し、２つのパッシブ充電電極の一方の個々の端部それぞれが、前記設置空洞から外に突出しており、
前記信号回路装置は、前記警告ポッド内に収容され、マイクロプロセッサ、該マイクロプロセッサに電気的に接続されその位置が前記透明の蓋に近いＬＣＤディスプレイ回路、前記マイクロプロセッサに電気的に接続された充電式電池、および前記設置空洞の内側底部面にしっかりと差し込まれた磁気リードスイッチを含んでおり、この充電式電池が、一組のワイヤを介して前記警告ポッドの前記パッシブ充電電極に接続される、フィルタ交換を事前に警告する装置を備えた手持ち式シャワーヘッド。
【請求項８】
前記反対側の縁に接する前記ハンドル台尻の頂部面に、指を誘導する溝がさらに形成される、請求項７に記載のフィルタ交換を事前に警告する装置を備えた手持ち式シャワーヘッド。
【請求項９】
前記充電式電池が、ニッケル−クロム電池またはリチウム電池のいずれかである、請求項７に記載のフィルタ交換を事前に警告する装置を備えた手持ち式シャワーヘッド。
【請求項１０】
前記警告ポッド内の前記磁気リードスイッチが、ホール効果素子によって置き換えられる、請求項７に記載のフィルタ交換を事前に警告する装置を備えた手持ち式シャワーヘッド。
【請求項１１】
電池充電空洞を含む電池充電台をさらに備え、該電池充電空洞の形状が、前記警告ポッド内の前記設置空洞の形状に似ているが、これよりわずかに大きいことで、前記設置空洞を完全に中に収容し、前記警告ポッド内の前記充電式電池に適した充電作業を行なう、請求項７に記載のフィルタ交換を事前に警告する装置を備えた手持ち式シャワーヘッド。
【発明の詳細な説明】
【技術分野】
【０００１】
本発明は、シャワーヘッドに関する革新的な用途に関係するフィルタ交換を事前に警告する装置を備えた手持ち式シャワーヘッドに関するものであり、詳細には、シャワーヘッド外殻の反対側に円形のくぼみソケットが形成され、内部信号回路装置を備えた脱着式の警告ポッドが独立して形成されることで、通常の測定および警告機能の場合は、警告ポッドをくぼみソケットに挿入し、電池の交換作業の場合にはくぼみソケットから取り外すことができる。これによりシャワーヘッド外殻に適切に動力を与えることができるだけでなく、警告機能を的確に維持することができる。
【背景技術】
【０００２】
本出願が革新的に発明した「フィルタ交換を事前に警告する装置を備えた手持ち式シャワーヘッド」は、米国発明特許第７４６８１２７号、中国人民共和国発明特許第５８４８８９号、英国発明特許第２４３５７９７号、韓国発明特許第１０-０９１２７３８号に既に認められており、これらの発明は公開されている。図１から図３に示されるように、「フィルタ交換を事前に警告する装置を備えた手持ち式シャワーヘッド」の構造は、シャワーヘッド１０、ベースシート２０、カバーシート３０、推進車輪４０および信号回路装置５０を備えており、ベースシート２０、カバーシート３０および推進車輪４０は、全てシャワーヘッドの内部に埋め込まれ、据え付けられており、
該シャワーヘッド１０は、中空の本体と水の入り口１１を有しており、そこにはねじ山１２が形成され、フィルタ取っ手６０に接続されるように設けられており、シャワーヘッド１０の前方は、ねじ１２１を利用してカバー部材１２にしっかりと設置され、該カバー部材１２が複数の噴霧穴１２２を有することで、シャワーヘッド１０から水を噴射させることができ、シャワーヘッド１０の後部には、ＬＣＤディスプレイ回路５６が厳重に取り付けられており、これは信号回路装置５０のマイクロプロセッサ５１によって送信される指示を表示するのに使用され（図３に示されるように）、
該ベースシート２０は、底部面に押し込まれるように形成された水チャンバ２１を有し、水の入り口通路２２と出口通路２３が、水チャンバ２１の２つの側部にそれぞれ形成されることで互いに連通することができ、回転軸２４が、ベースシート２０の水チャンバ２１の頂部面の中央領域から下向きに突出しており、
該カバーシート３０は、ベースシート２０の底部側に厳重に取り付けられ、ベースシート２０の底部面がカバーシート３０の頂部面に当接しており、カバーシート３０の側面に形成された水の入り口３１を有し、その２つの端部は入り口通路２２と水の入り口１１にそれぞれ対応しており、水の出口３２は出口通路２３に対応し、カバーシート３０の頂部面に形成されており、支持軸３３は、カバーシート３０の頂部側の中央領域から上向きに突出し、中央合わせ釘３４のねじ山付きの穴３４１は反対側に下向きに突出しており、
該推進車輪４０は円形の本体であり、複数の湾曲したプロペラ羽根がこの円形本体から半径方向に延在することで、ベースシート２０の水チャンバ２１の中に位置を定め、その中に回転可能に支持されており、推進車輪４０の頂部側と底部側のそれぞれの中心に同軸上に形成された２つの中央の軸方向のくぼみ４１を有しており、推進車輪４０の頂部側に磁気要素４２が埋め込まれることで、回転軸２４と支持軸３３が、ベースシート２０の水チャンバ２１の中心に位置する２つの中央の軸方向のくぼみ４２に嵌合され（図１に示されるように）、
該信号回路装置５０は、マイクロプロセッサ５１、マイクロプロセッサ５１に電気的に接続されたＤＣ電力供給源５２、マイクロプロセッサ５１に電気的に接続された変換器５３、マイクロプロセッサ５１に電気的に接続されたリセットスイッチ５４、マイクロプロセッサ５１に電気的に接続された再スタート（リセット）スイッチ５５、マイクロプロセッサ５１に電気的に接続されたＬＣＤディスプレイ回路５６、マイクロプロセッサ５１に電気的に接続されたブザー５７および信号受信機５８を備えており、この信号受信機は、ベースシート２０の頂部面において閉鎖され、磁気要素４２に対応している（図１に示されるように）。
【０００３】
上記のベースシート２０、カバーシート３０および推進車輪４０は、ねじ１４を利用して組み立てられ、シャワーヘッド１０の内部に取り付けられることで、水の入り口３１、入り口通路２２、水チャンバ２１、出口２３および水の出口３２が、水の流れ経路を画定する。
【０００４】
図１と図３を参照されたい。本発明の作動モードに従って、水供給パイプがフィルタ取っ手６０に接続される。水の流れは、水の入り口３１と入り口通路２２を通って水チャンバ２１に進入し、推進車輪４０を回転させ、出口通路２３、水の出口３２およびカバー部材１２の噴霧穴１２２を通って外に流れ出る。推進車輪４０が回転する際、磁気要素４２によって信号回路装置５０の信号受信機５８が誘起されることで、信号受信機５８がセンサ信号を受信し、変換器５３を介してマイクロプロセッサ５１に送信する。このような継続的な信号は、マイクロプロセッサ５１に送信され、対応する信号をＬＣＤディスプレイ回路５６に送信する処理を行い、以下の式に従って流れの正確な量を計算することができる。
【０００５】
流れの量（Ｑ）＝断面積（Ａ）掛ける流速（Ｖ）
【０００６】
これによりユーザは、ＬＣＤディスプレイ回路５６を見るだけで、フィルタ取っ手６０を流れる水の全体の統計上の容積を容易に得ることができる。 
【０００７】
全体の水の読取り値、すなわちフィルタ取っ手６０の濾過要素６２によって形成される流水の全容積がフォーマット化され、所定の基準値としてマイクロプロセッサ５１に入力され、この基準値は、各々の濾過要素の耐用寿命（臨界点）を示すデジタル式の標準的な基準値である。全体の流れ容積値が、フィルタ取っ手６０の耐用寿命に達したとき、マイクロプロセッサ５１は、ブザー５７に信号を送信し、警告アラームを送り、フィルタ取っ手６０の濾過要素を新しいものに交換する時期がきたことをユーザに知らせる。したがってユーザは、交換する時期を逃したために、正常に機能しないフィルタを使い続けることを回避することができる。
【先行技術文献】
【特許文献】
【０００８】
【特許文献１】米国発明特許第７４６８１２７号
【特許文献２】中国本土発明特許第５８４８８９号、
【特許文献３】英国発明特許第２４３５７９７号
【特許文献４】韓国発明特許第１０-０９１２７３８号
【発明の概要】
【発明が解決しようとする課題】
【０００９】
上記の従来の「フィルタ交換を事前に警告する装置を備えた手持ち式シャワーヘッド」を特定の期間実際にテストしたところ、それは予測した効果を実現することができたが、２つの問題が生じた。問題は、信号回路装置５０内のＤＣ電力供給源５２の電源が徐々に消耗することで、測定および表示機能が不能になることと、ＬＣＤディスプレイ回路５６が単一の要素としてシャワーヘッド１０と一体式であることから、信号回路装置５０内のＤＣ電力供給源５２を独自に交換することができないため、ひとたびＤＣ電力供給源５２の電源がなくなると、シャワーヘッド１０と一緒にＤＣ電力供給源５２を廃棄し、交換しなければならないことである。よって資源を無駄にするだけでなく、シャワーヘッドを頻繁に交換することによって被る経済的な費用も増加する。結果として従来式の「フィルタ交換を事前に警告する装置を備えた手持ち式シャワーヘッド」を不本意ながら継続して使用することが原因で、これは販売上の欠点となる。上記に述べた問題に対処することによって念入りに調査し研究した上で、本発明者等は上記に述べた問題を克服することによって本発明を最終的に解決する。
【課題を解決するための手段】
【００１０】
本発明の主たる目的は、「フィルタ交換を事前に警告する装置を備えた手持ち式シャワーヘッド」を提供することであり、これは、シャワーヘッド外殻の反対側に円形のくぼみソケットが形成され、内部信号回路を備えた脱着式の警告ポッドが独立して形成されることで、通常の測定および警告機能の場合は警告ポッドをシャワーヘッド外殻の反対側にあるくぼみソケットに挿入し、電池交換作業の場合は、くぼみソケットから取り外すことができる新規の考案品に端を発している。これによりシャワーヘッド外殻に適切に動力を与えることができるだけでなく、交換作業のために警告ポッドを隔離させてシャワーヘッド外殻から切り離すことができる。
【００１１】
本発明の他の目的は、シャワーヘッド外殻、内側の蓋、インペラー、フードおよび着脱式の警告ポッドを備えた「フィルタ交換を事前に警告する装置を備えた手持ち式シャワーヘッド」を提供することであり、この場合、警告ポッドが中に埋め込まれたくぼみソケットがシャワーヘッド外殻の反対側に形成され、着脱式の警告ポッドに信号回路装置が独立して形成される。したがって警告ポッドは、通常の測定および警告機能の場合は、シャワーヘッド外殻の反対側でくぼみソケットに挿入され、電池交換作業の場合は、くぼみから取り外すことができる。これによりシャワーヘッド外殻に適切に動力を与えることができるだけでなく、交換作業のために警告ポッドを隔離させてシャワーヘッド外殻から切り離すことができ、その結果、たとえ信号回路装置のＤＣ電力供給源が完全になくなったとしても、シャワーヘッド外殻全体を廃棄し交換する必要がなくなる。よって資源の無駄をなくすだけでなく、シャワーヘッドを頻繁に交換することによって被る経済的な費用も節約できる。その結果、本発明を継続的に使用したいという要望が高まることにより、市場販売の利点となる。
【図面の簡単な説明】
【００１２】
【図１】従来のフィルタ交換を事前に警告する装置を備えた手持ち式シャワーヘッドの組み立て後の断面図である。
【図２】従来のフィルタ交換を事前に警告する装置を備えた手持ち式シャワーヘッドの概略的な分解組立斜視図である。
【図３】従来のフィルタ交換を事前に警告する装置を備えた手持ち式シャワーヘッドの電気的なブロック図である。
【図４】本発明の第１の好ましい例示の実施形態における、フィルタ交換を事前に警告する装置を備えた手持ち式シャワーヘッドの概略的な分解組立斜視図である。
【図５】先の図４の５−５の切断線で切り取った断面図である。
【図６】先の図５の６−６の切断線で切り取った断面図である。
【図７】先の図４の７−７の切断線で切り取った断面図である。
【図８】先の図４の８−８の切断線で切り取った断面図である。
【図９】先の図４の９−９の切断線で切り取った断面図である。
【図１０】本発明の第１の好ましい例示の実施形態における警告ポッドを示す概略的な分解組立斜視図である。
【図１１】先の図４の１１−１１の切断線で切り取った断面図である。
【図１２】本発明の第１の好ましい例示の実施形態におけるフィルタ交換を事前に警告する装置を備えた手持ち式シャワーヘッドの第１の組立図である。
【図１３】本発明の第１の好ましい例示の実施形態におけるフィルタ交換を事前に警告する装置を備えた手持ち式シャワーヘッドの第２の組立図である。
【図１４】本発明の第１の好ましい例示の実施形態におけるフィルタ交換を事前に警告する装置を備えた手持ち式シャワーヘッドの第３の組立図である。
【図１５】本発明の第１の好ましい例示の実施形態におけるフィルタ交換を事前に警告する装置を備えた手持ち式シャワーヘッドの第４の組立図である。
【図１６】本発明の第１の好ましい例示の実施形態におけるフィルタ交換を事前に警告する装置を備えた手持ち式シャワーヘッドの第５の組立図である。
【図１７】本発明の第１の好ましい例示の実施形態における警告ポッドとシャワーヘッド外殻の組み立てを示す第２の例示の図である。
【図１８】本発明の第１の好ましい例示の実施形態における警告ポッドとシャワーヘッド外殻の組み立てを示す第３の例示の図である。
【図１９】本発明の第１の好ましい例示の実施形態における警告ポッドとシャワーヘッド外殻の組み立てを示す第４の例示の図である。
【図２０】本発明の第１の好ましい例示の実施形態におけるハンドルフィルタとシャワーヘッド外殻の組み立てを示す概略斜視図である。
【図２１】先の図２０の切断線２１−２１で切り取った断面図である。
【図２２】先の図２１の切断線２２−２２で切り取った断面図である。
【図２３】本発明の第１の好ましい例示の実施形態における、警告ポッドをシャワーヘッド外殻から取り外すための持ち上げ動作を示す第１の例示の図である。
【図２４】本発明の第１の好ましい例示の実施形態における、警告ポッドをシャワーヘッド外殻から取り外すための持ち上げ動作を示す第２の例示の図である。
【図２５】本発明の第１の好ましい例示の実施形態における、警告ポッドをシャワーヘッド外殻から取り外すための持ち上げ動作を示す第３の例示の図である。
【図２６】本発明の第１の好ましい例示の実施形態における、警告ポッドをシャワーヘッド外殻から取り外すための持ち上げ動作を示す第４の例示の図である。
【図２７】本発明第１の好ましい例示の実施形態における、電池充電台に埋め込まれた別個の警告ポッドを示す概略斜視図である。
【図２８】本発明第１の好ましい例示の実施形態における、警告ポッドが電池充電台に埋め込まれているのを示す概略斜視図である。
【図２９】本発明の第２の好ましい例示の実施形態における、フィルタ交換を事前に警告する装置を備えた手持ち式シャワーヘッドの内側の蓋の概略斜視図である。
【図３０】本発明の第２の好ましい例示の実施形態における、内側の蓋とシャワーヘッドの組み立てを示す概略斜視図である。
【図３１】本発明の第３の好ましい例示の実施形態における、フィルタ交換を事前に警告する装置を備えた手持ち式シャワーヘッドの概略斜視図である。
【図３２】本発明の第３の好ましい例示の実施形態における、フィルタ交換を事前に警告する装置を備えた手持ち式シャワーヘッドの分解組立斜視図である。
【図３３】先の図３２の３３−３３の切断線で切り取った断面図である。
【図３４】先の図３２の３４−３４の切断線で切り取った断面図である。
【図３５】本発明の第３の好ましい例示の実施形態における、フィルタ交換を事前に警告する装置を備えた手持ち式シャワーヘッドの第１の組立図である。
【図３６】本発明の第３の好ましい例示の実施形態における、フィルタ交換を事前に警告する装置を備えた手持ち式シャワーヘッドの第２の組立図である。
【図３７】本発明の第３の好ましい例示の実施形態における、フィルタ交換を事前に警告する装置を備えた手持ち式シャワーヘッドの第３の組立図である。
【図３８】本発明の第３の好ましい例示の実施形態における、フィルタ交換を事前に警告する装置を備えた手持ち式シャワーヘッドの第４の組立図である。
【図３９】本発明の第３の好ましい例示の実施形態における、警告ポッドのシャワーヘッド外殻への埋め込み作業を示す第１の例示の図である。
【図４０】本発明の第３の好ましい例示の実施形態における、警告ポッドのシャワーヘッド外殻への埋め込み作業を示す第２の例示の図である。
【図４１】本発明の第３の好ましい例示の実施形態における、フィルタ交換を事前に警告する装置を備えた手持ち式シャワーヘッドの動作の例示の図である。
【図４２】先の図４１の４２−４２の切断線で切り取った断面図である。
【発明を実施するための形態】
【００１３】
本発明の第１の好ましい例示の実施形態における構図に関して、図４から図１１および図１４をさらに参照されたい。ここでのフィルタ交換を事前に警告する装置を備えた手持ち式シャワーヘッドは、シャワーヘッド外殻１００、ハンドルフィルタ６０、内側の蓋７０、インペラー８０、フード９０、着脱式警告ポッド２００および信号回路装置３００を備えており、この場合、
該シャワーヘッド外殻１００は、一体式の部品として押出し成型されたプラスチック製の中空の覆いであり、これは一体式の本体として、マントル１０３に囲まれ一連の縁の雄ねじ山１２０を備えた表側１０１と、反対側１０２を有し、フィルタ取っ手６０に接続するために、その先細の周辺部に形成された一連の管状のねじ山１０６を備えたハンドルの台尻１０４、ハンドルの台尻１０４に形成された中空の水の進入口１０５、表側１０１に内向きに形成された収容部１０７、水の出口の孔ベース１０９、収容部１０７の内側底部にさらに内向きに形成されたインペラーハブノッチ１１０を備えたインペラーウェル１０８、ハンドルの台尻１０４にある中空の水の進入口１０５、インペラーウェル１０８の隣接する側を連通させるために形成された水の入り口通路１１１、水の出口の孔ベース１０９、インペラーウェル１０８の他方側（図６に点線部分として示される）を連通させるために形成された水の出口通路１１２、およびそこに埋め込まれた着脱式の警告ポッド２００を有するように、反対側１０２に内向きに形成された円形のくぼみソケット１１３を有することで、末端のラッチ係合刻み目１１４がくぼみソケット１１３の遠位の内側の壁（図では左側）に形成され（図５に左上方の拡大図で示される）、スナップ式のラッチ係合突起１１５がくぼみソケット１１３の近位の内側の壁（図では右側）に形成され（図５に右上方の拡大図で示される）、反対側１０２の縁に接するハンドル台尻１０４の頂部面に指を誘導する溝１１６が形成され、
該ハンドルフィルタ６０は、着脱式ハンドル内に配置されたフィルタカートリッジであり、一連の雌のねじ山がその接合端部に形成されることで、ハンドル台尻１０４の一連の管状ねじ山１０６と噛み合い（図２０および図２１に示されるように）、
該内側の蓋７０は、シャワーヘッド外殻１００にある収容部１０７の底部側にしっかりと装着された平板型のディスクであり、シャワーヘッド外殻１００の表側１０１に向く内側面７１と、インペラーウェル１０８のインペラーハブノッチ１１０と対応するように中に形成されたインペラーハブノッチ７２、シャワーヘッド外殻１００内の収容部１０７の水の出口の孔ベース１０９と対応するように中に形成された水の出口７３、およびそのへりに近い縁の周縁部に形成されることで、インペラーハブノッチ７２および水の出口７３の周りに分配される複数のねじ穴７４を有し、
該インペラー８０は、半径方向に均等に延在する複数の湾曲した羽根を備えた円筒形状の本体であり、その頂部側と底部側それぞれに同軸に配置された２つの中央の突出するハブ８１を有し、１つの羽根の頂部の切欠きに埋め込まれた磁気要素８２を有することで、インペラー８０は、インペラーウェル１０８のインペラーハブノッチ１１０と内側の蓋７０のインペラーハブノッチ７２それぞれとに嵌め合う２つの中央の突出ハブ８１を利用してインペラーウェル１０８の中で自由に回転することができ、（図１４に示されるように）、
該フード９０は、一体式の部品の押出し成型されたプラスチック製のディスクであり、その底部の縁の周りに形成された輪状の雌ねじ山９１と、その表面上に広がった複数の水の噴霧穴９２を有することで、輪状の雌ねじ山９１が、ねじ込み係合によってシャワーヘッド外殻１００の表側１０１にある縁の雄ねじ山１２０と噛み合い（図９に示されるように）、水の噴霧穴９２によってシャワーヘッド外殻１００の表側１０１にある収容部１０７内の水を外に噴射することができ、
該警告ポッド２００は、高周波溶融法によって密閉された水密の内部本体にされた、プラスチック製の透明の蓋２０１とプラスチック製の設置用の空洞２０２でできたプラスチック製のカプセルであり、中に信号回路装置３００を収容するためにシャワーヘッド外殻１００の反対側１０２の円形のくぼみソケット１１３に埋め込まれ、（図１０および図１１に示されるように）、その先端部の縁に（図では左側）形成された末端ラッチ係合突起２０３、その後方の縁に（図では右側）形成されたスナップ式のラッチ係合刻み目２０４、および設置空洞２０２の内側の底部壁にしっかりと差し込まれた２つのパッシブ充電電極２０５を有しており、２つのパッシブ充電電極２０５のそれぞれの個々の端部は、設置空洞２０２から外に突出しており（図１１の下方の拡大図に示されるように）、
該信号回路装置３００は、警告ポッド２００を収容しており、マイクロプロセッサ３０１、マイクロプロセッサ３０１に電気的に接続され、その位置が透明の蓋２０１に近いＬＣＤディスプレイ回路３０２、マイクロプロセッサ３０１に電気的に接続された充電式電池３０３、および設置空洞２０２の内側の底部側にしっかりと差し込まれた磁気リードスイッチ３０４を含む（図１０に示されるように）ことで、充電式の電池３０３が、一組のワイヤＷによって警告ポッド２００のパッシブ充電電極２０５に接続され（図１１の下方の拡大図に示されるように）、この場合充電式電池３０３は、ニッケル−クロム電池またはリチウム電池のいずれかであってよく、磁気リードスイッチ３０４は、ホール効果素子によって置き換えることもできる。
【００１４】
本発明の第１の好ましい例示の実施形態における組み立てステップに関して、図１２から図１９をさらに参照されたい。
【００１５】
ａ．１つの羽根に磁気要素８２を有するインペラー８０の突出ハブ８１（図面の上側）を、シャワーヘッド外殻１００の表側１０１にあるインペラーウェル１０８のインペラーハブノッチ１１０と位置合わせし、その後突出ハブ８１をインペラーのハブノッチ１１０に押し込むことで、インペラー８０の磁気要素８２が、シャワーヘッド外殻１００のくぼみソケット１１３の方に向く（図１２に示されるように）。
【００１６】
ｂ．内側の蓋７０の内側の面７１がシャワーヘッド外殻１００にある収容部１０７の頂部面に当たるように装着することで、内側の蓋７０のインペラーハブノッチ７２が、インペラー８０の他方の突出ハブ８１にスリーブ接続し（図１３の下方側に示されるように）、全てのセルフタッピングねじＳを、内側の蓋７０の対応するねじ穴７４をそれぞれ介して、収容部１０７の内側の底部壁に押し込み、その結果、内側の蓋７０が収容部１０７の頂部面に密接に装着することで、インペラー８０がインペラーウェル１０８の中で自由に回転することが可能になる（図１４に示されるように）。
【００１７】
ｃ．フード９０にある輪状の雌ねじ山９１が、ねじ込み係合によってシャワーヘッド外殻１００の表側１０１にある縁の雄ねじ山１２０と噛み合うことで、シャワーヘッド外殻１００の表側に対する組み立てを完了する（図１５に示されるように）。
【００１８】
ｄ．警告ポッド２００の設置空洞２０２内の末端ラッチ係合突起２０３を、シャワーヘッド外殻１００の反対側１０２のくぼみソケット１１３にある末端ラッチ係合刻み目１１４と位置合わせし、これと嵌め合うことで（図１６および図１７の左上方の拡大図に示されるように）、設置空洞２０２にあるスナップ式のラッチ係合刻み目２０４の底部側が、くぼみソケット１１３にあるスナップ式のラッチ係合突起１１５の頂部側と接触する（図１７の右上方の拡大図に示されるように）。その後、強制的に下向きの力Ｆ１を透明の蓋２０１に加えることによって、設置空洞２０２にあるスナップ式のラッチ係合刻み目２０４をくぼみソケット１１３のスナップ式のラッチ係合突起１１５と完全にラッチ係合させることで（図１９の右上方の拡大図に示されるように）、設置空洞２０２にある末端ラッチ係合突起２０３が同時に、くぼみソケット１１３にある末端ラッチ係合刻み目１１４と完全にラッチ係合し（図１９の左上方の拡大図に示されるように）、警告ポッド２００とシャワーヘッド外殻１００の組み立てが完了する。よって本発明の第１の好ましい例示の実施形態における組み立てステップ全体が終了する。
【００１９】
本発明の第１の好ましい例示の実施形態における作動モードについて、図２０から図２２をさらに参照されたい。
【００２０】
シャワーヘッドを作動させる前に、まずハンドルフィルタ６０を、シャワーヘッド外殻１００のハンドル台尻１０４にある管状ねじ山１０６にねじ込み、その後着脱式の水のパイプＰをハンドルフィルタ６０に接続する（図２０に示されるように）。ひとたびシャワーヘッドが組み立てられると、水道水がハンドルフィルタ６０、ハンドルの台尻１０４にある水の進入口１０５および水入り口通路１１を順番に経由して、インペラーウェル１０８に進入しインペラー８０を回転させる。その後インペラーウェル１０８の中の水道水が、水の出口通路１１２と水の出口の孔ベース１０９を順に経由して内側の蓋７０にある水の出口７３から流れ出る。最終的に水道水は、フード９０にある水噴霧穴９２から噴射される（図２１および図２２に示されるように）。この場合流水によって駆動されるインペラー８０の各回転毎に、その磁気要素８２が同時に、警告ポッド２００にある磁気リードスイッチ３０４のスイッチを一度だけ入れて切り替え信号を誘発させ、この信号は、信号回路装置３００にあるマイクロプロセッサ３０１に中継され、特定の事前設定された間隔で蓄積データを生成するように処理され、さらにＬＣＤディスプレイ回路３０２に送信され、このディスプレイ回路が以下の式に従ってそこでの関連する水流の量を表示する。
【００２１】
水流の量（Ｑ）＝断面積（Ａ）掛ける流速（Ｖ）
【００２２】
これによりシャワーヘッドのユーザは、警告ポッド２００の透明の蓋２０１を介してＬＣＤディスプレイ回路３０２を見るという簡単な手段によって、ハンドルフィルタ６０内を通過した濾過後の水の全体量のリアルタイムの統計的データを得ることができる。ひとたびハンドルフィルタ６０内を通過した濾過後の水の全体量が、特定のハンドルフィルタ６０の定格の耐用寿命の所定の臨界値に達する（あるいは到達しそうになる）と、マイクロプロセッサ３０１は、濾過後の全体の水の量の現在のデータを有する警告信号をＬＣＤディスプレイ回路３０２に送信し、ハンドルフィルタ６０を適宜交換する時期であることにユーザが気付くように催促することで、ハンドルフィルタ６０の高い品質を保証し、これにより濾過後の水の品質も保証する。したがってユーザは、交換時期を逃し、効果がなくなったハンドルフィルタ６０を使い続けることによって受ける、不純な水によって生じる健康に有害な結果を回避することができる。
【００２３】
ハンドルフィルタ６０の交換または充電について、図２３から図２８をさらに参照されたい。本発明のフィルタ交換を事前に警告する装置を備えた手持ち式シャワーヘッドに関する第１の好ましい例示の実施形態は、電池充電台４００をさらに備えており、この電池充電台が一組のアクティブ充電電極４０２を備えた電池充電空洞４０１を含むことで、警告ポッド２００の設置空洞２０２内にあるパッシブ充電電極２０５の対応する組の突出する端部にしっかりと接触し、警告ポッド２００内の充電式電池３０３に適した充電作業を行なう。この場合電池充電空洞４０１の形状は、警告ポッド２００内の設置空洞２０２の形状に似せる工夫されているが、これよりわずかに大きくなるようにすることで、設置空洞２０２を適切に中に収容し、警告ポッド内の充電式電池に適した充電作業を行なう（図２７および図２８に示されるように）。
【００２４】
警告ポッド２００内の充電式電池３０３の電力は、ハンドルフィルタ６０を何回か交換すると、なくなる場合がある。ハンドルフィルタ６０の交換または充電作業モードにおいて、先ず警告ポッド２００内の透明の蓋２０１のへりに近い縁を、シャワーヘッド外殻１００の反対側１０２にある指を誘導する溝１１６に沿って１本の指によって引っかけ（図２３に示されるように）、その後上向きの力Ｆ２を設置空洞２０２に加える（図２４に示されるように）、警告ポッド２００のスナップ式のラッチ係合刻み目２０４が跳ね返って、シャワーヘッド外殻１００のくぼみソケット１１３にあるスナップ式のラッチ係合突起１１５から外れる（図２４の右上方の拡大図に示されるように）、次に設置空洞２０２に引き続き上向きの力Ｆ２を加え、警告ポッド２００全体をシャワーヘッド外殻１００の反対側１０２にあるくぼみソケット１１３から完全に取り外す（図２５および図２６に示されるように）、最後に着脱式の警告ポッド２００を電池充電台４００の電池充電空洞４０１に挿入し、警告ポッド２００にある充電式電池３０３が適切に充電される（図２７および図２８に示されるように）。
【００２５】
したがって警告ポッド２００は、通常の測定および警告機能の場合、シャワーヘッド外殻１００の反対側１０２にあるくぼみソケット１１３に挿入され、電池の充電作業の場合はくぼみソケット１１３から取り外すことができる。これによりシャワーヘッド外殻１００に適切に動力を与えることができるだけでなく、警告ポッド２００をシャワーヘッド外殻１００から切り離すことによって、充電作業を隔離して行なうことができ、その結果、従来の「フィルタ交換を事前に警告する装置を備えた手持ち式シャワーヘッド」に生じる問題が完全に解決され、たとえ信号回路装置３００内のＤＣ電力供給源がなくなっても、シャワーヘッド外殻１００全体を廃棄および交換する必要がなくなる。よって資源の無駄をなくすだけでなく、シャワーヘッドを頻繁に交換することによって被る経済的な費用も節約できる。その結果本発明の「フィルタ交換を事前に警告する装置を備えた手持ち式シャワーヘッド」を継続して使用したいという要望が高まることにより、これは市場販売の利点となる。
【００２６】
本発明の第２の好ましい例示の実施形態における構造について、図２９と図３０をさらに参照されたい。ここで、本発明の先の第１の好ましい例示の実施形態での内側の蓋７００が一体式の部品として押出し成型されたプラスチック製の平板形のディスクに適合されることで、適合した内側の蓋７００が、シャワーヘッド外殻１００内の収容部１０７の底部側に厳重に装着された後、高周波溶融法によって一体式の本体としてシャワーヘッド外殻１００と合体する（図３０に示されるように）。適合した内側の蓋７００は、インペラーハブノッチ７０２と水の出口７０３を中に有する内向きの面７０１を備えており、この場合インペラーハブノッチ７０２は、インペラーウェル１０８のインペラーハブノッチ１１０に対応し、水の出口７０３は、シャワーヘッド外殻１００の収容部１０７の水の出口の孔ベース１０９に対応する。
【００２７】
本発明の第３の好ましい例示の実施形態における構造について、図３１から図３４ならびに図１０および図１１をさらに参照されたい。ここでのフィルタ交換を事前に警告する装置を備えた手持ち式シャワーヘッドは、シャワーヘッド外殻５００、ハンドルフィルタ６０、内側パネル６００、インペラー８０、フード９０、着脱式の警告ポッド２００および信号回路装置３００を備えており、この場合
該シャワーヘッド外殻５００は、一体式の部品として押出し成型されたプラスチック製の中空の覆いであり、これは一体式の本体として、マントル５０３に囲まれ一連の縁の雄ねじ山５２０を備えた表側５０１と、反対側５０２を有し、フィルタ取っ手６０に接続するために、その先細の周辺部に形成された一連の管状のねじ山５０６を備えたハンドルの台尻５０４、ハンドルの台尻５０４に形成された中空の水の進入口５０５、表側５０１に内向きに形成された収容部５０７、反対側５０２の縁に当接するハンドルの台尻５０４の頂部面に形成された指を誘導する溝５１６、着脱式の警告ポッド２００が中に埋め込まれるように反対側５０２に内向きに形成される円形のくぼみソケット５１３であって、これにより末端のラッチ係合刻み目５１４がくぼみソケット５１３の遠位の内側の壁に形成され（図３１および図３２に示されるように）、インペラーハブノッチ５１０を備えたインペラーウェル５０８と水の出口５０９が、ハンドルの台尻５０４の中空の水の進入口５０５付近のくぼみソケット５１３の近位の内側の底部壁にそれぞれ形成される円形のくぼみソケット５１３、ハンドルの台尻５０４にある中空の水の進入口５０５、インペラーウェル５０８の隣接する側を連通させるように形成された水の入り口通路５１１、水の出口５０９、およびインペラーウェル５０８の他方側を連通させるように形成された水の出口通路５１２を有し、この場合水の出口５０９は、収容部５０７と連通可能であり（図３３に示されるように）、
該ハンドルフィルタ６０は、着脱式のハンドル内に配置されたフィルタカートリッジであり、一連の雌のねじ山がその接合端部に形成されることで、ハンドル台尻５０４の一連の管状ねじ山５０６と噛み合い（図４１および図４２に示されるように）、
該内側パネル６００は、一体式の部品として押出し成型されたプラスチック製の平板形のディスクであり、その頂部面形成されたスナップ式のラッチ係合突起６０１と、その底部面に形成されたインペラーハブノッチ６０２を有し（図３４に示されるように）、円形くぼみソケット５１３内のインペラーウェル５０８の頂部開口部と、水の出口５０９の頂部開口部を密封式に塞ぐ役目をしており、その結果、内側パネル６００の底部面が、高周波溶融法によってシャワーヘッド外殻５００の反対側５０２にある円形くぼみソケット５１３の上部の内側の底部面に密接に装着され、これを密封する際、水の出口５０９の下方端部の開口部のみが収容部５０７と連通することが可能であり、これにより内側パネル６００の両側が、一体式の本体としてシャワーヘッド外殻５００と合体し（図３６に示されるように）、
該インペラー８０は、半径方向に均等に延びる複数の湾曲した羽根を備えた円筒形状の本体であり、その頂部側と底部側にそれぞれ同軸に配置された２つの中央の突出ハブ８１と、１つの羽根の頂部の切欠きに埋め込まれた磁気要素８２（図８に示されるように）を有することで、インペラー８０は、インペラーウェル５０８のインペラーハブノッチ５１０と内側パネル６００のインペラーハブノッチ６０２に嵌め合う（図３５に示されるように）２つの中央の突出ハブ８１を利用してインペラーウェル５０８の中で自由に回転することができ、
該フード９０は、一体式の部品として押出し成型されたプラスチック製のディスクであり、その底部の縁を囲むように形成された輪状の雌ねじ山９１と、その表面上に広がった複数の水噴霧穴９２を有することで、輪状の雌ねじ山９１が、ねじ込み係合によってシャワーヘッド外殻５００の表側５０１にある縁の雄ねじ山５２０と噛み合い（図９に示されるように）、その一方で水噴霧穴９２によってシャワーヘッド外殻の表側５０１にある収容部５０７の中の水を外に噴射することができ、
該警告ポッド２００は、高周波溶融法によって密閉された水密の一体式の本体にされた、プラスチック製の透明の蓋２０１とプラスチック製の設置空洞２０２によって形成されたプラスチック製のカプセルであり、中に信号回路装置３００を収容するためにシャワーヘッド外殻５００内の反対側５０２のくぼみソケット５１３に埋め込まれ、その先端部の縁に形成された末端ラッチ係合突起２０３、その後方の縁に形成されたスナップ式ラッチ係合刻み目２０４、および設置空洞２０２の内側の底部壁にしっかりと差し込まれた２つのパッシブ充電電極２０５を有し、２つのパッシブ充電電極２０５の一方の個々の端部それぞれが設置空洞２０２から外に突出しており（図１１の下方の拡大図に示される）、
該信号回路装置３００は、警告ポッド２００内に収容され、マイクロプロセッサ３０１、マイクロプロセッサ３０１に電気的に接続されその位置が透明の蓋２０１に近いＬＣＤディスプレイ回路３０２、マイクロプロセッサ３０１に電気的に接続された充電式電池３０３、および設置空洞２０２の内側底部面にしっかりと差し込まれた磁気リードスイッチ３０４を含んでおり（図１０に示されるように）、この充電式電池３０３は、一組のワイヤＷを介して警告ポッド２００のパッシブ充電電極２０５に接続され（図１１の下方の拡大図に示されるように）、この場合充電式電池３０３は、ニッケルークロム電池あるいはリチウム電池のいずれであってもよく、磁気リードスイッチ３０４は、ホール効果素子で置き換えることもできる。
【００２８】
本発明の第３の好ましい例示の実施形態における組み立てステップに関して、図３５から図４０をさらに参照されたい。
【００２９】
ａ．１つの羽根に磁気要素８２を有するインペラー８０の突出ハブ８１を、シャワーヘッド外殻５００の反対側５０２にあるインペラーウェル５０８のインペラーハブノッチ５１０と位置合わせし、その後突出ハブ８１をインペラーハブノッチ５１０に押し込むことで、インペラー８０の磁気要素８２が、シャワーヘッド外殻５００のくぼみソケット５１３の方に向く（図３５に示されるように）。
【００３０】
ｂ．内側パネル６００の底部面がシャワーヘッド外殻５００の反対側５０２にあるくぼみソケット５１３の内側の底部壁に当たるように装着し、その後高周波溶融法によって内側パネル６００の縁を気密式に密閉することで、内側パネル６００とシャワーヘッド外殻５００を一体式の本体に合体させ、これによりインペラーウェル５０８の頂部側と、水の出口５０９の頂端部が同時に密接に密閉され、その結果、水の出口５０９の他方の下方端部のみが収容部５０７と連通することができる。よってインペラー８０の２つの突出ハブ８１それぞれが、インペラーウェル５０８のインペラーハブノッチ５１０と内側パネル６００のインペラーハブノッチ６０２にそれぞれ挿入される。
【００３１】
ｃ．フード９０にある輪状の雌ねじ山９１が、ねじ込み係合によってシャワーヘッド外殻５００の表側５０１にある縁の雄ねじ山５２０と噛み合う（図３７および図３８に示されるように）。
【００３２】
ｄ．警告ポッド２００の設置空洞２０２内の末端ラッチ係合突起２０３を、シャワーヘッド外殻５００の反対側５０２のくぼみソケット５１３にある末端ラッチ係合刻み目５１４と位置を合わせ、嵌め合わせる（図３９に示されるように）。その後強制的に下向きの力Ｆ１を透明の蓋２０１に加えることによって、設置空洞２０２にあるスナップ式ラッチ係合刻み目２０４を内側パネル６００のスナップ式のラッチ係合突起６０１に完全にラッチ係合させ（図４０の右上方の拡大図に示されるように）、これにより設置空洞２０２内の末端ラッチ係合突起２０３も同時に、くぼみソケット５１３にある末端ラッチ係合刻み目５１４と完全にラッチ係合し（図４０の左上方の拡大図に示されるように）、警告ポッド２００とシャワーヘッド外殻５００の組み立てが完了する。よって本発明の第３の好ましい例示の実施形態における組み立てステップ全体が終了する。
【００３３】
本発明の第３の好ましい例示の実施形態における作動モードに関して、図４１および図４２をさらに参照されたい。
【００３４】
ひとたびシャワーヘッドが組み立てられると、水道水がハンドルフィルタ６０、ハンドルの台尻５０４にある水の入り口５０５および水の入り口通路５１１を順番に経由してインペラーウェル５０８に進入しインペラー８０を回転させる。その後インペラーウェル５０８の中の水道水が、水の出口通路５１２と水の出口５０９を順に経由してシャワーヘッド外殻５００の中の収容部５０７から流れ出る（図４２に示されるように）。最終的に水道水は、フード９０にある水噴霧穴９２から噴射される（図４１に示されるように）。この場合流水によって駆動されるインペラー８０の各々の回転毎に、その磁気要素８２が同時に、警告ポッド２００にある磁気リードスイッチ３０４のスイッチを一度だけ入れて切り替え信号を誘発させ、この信号は、信号回路装置３００にあるマイクロプロセッサ３０１に中継され、特定の事前設定された間隔で蓄積データを生成するように処理され、さらにＬＣＤディスプレイ回路３０２に送信され、このディスプレイ回路が以下の式に従ってそこでの関連する水流の量を表示する。
【００３５】
水流の量（Ｑ）＝断面積（Ａ）掛ける流速（Ｖ）
【００３６】
これによりシャワーヘッドのユーザは、警告ポッド２００の透明の蓋２０１を介してＬＣＤディスプレイ回路３０２を見るという簡単な手段によって、ハンドルフィルタ６０内を通過した濾過後の水の全体量のリアルタイムの統計的データを得ることができる。ひとたびハンドルフィルタ６０内を通過した濾過後の水の全体量が、特定のハンドルフィルタ６０の定格の耐用寿命の所定の臨界値に達する（あるいは到達しそうになる）と、マイクロプロセッサ３０１は、濾過後の全体の水の量の現在のデータを有する警告信号をＬＣＤディスプレイ回路３０２に送信し、ハンドルフィルタ６０を適宜交換する時期であることにユーザが気付くように催促することで、ハンドルフィルタ６０の高い品質を保証し、これにより濾過後の水の品質も保証する。したがってユーザは、交換時期を逃し、効果がなくなったハンドルフィルタ６０を使い続けることによって受ける、不純な水によって生じる健康に有害な結果を回避することができる。
【００３７】
これまでの開示の結果において、本発明は、くぼみソケット１１３がシャワーヘッド外殻１００の反対側１０２に形成され、内部信号回路装置３００を備えた着脱式の警告ポッド２００が独立して形成されることで、通常の測定および警告機能の場合、警告ポッドをシャワーヘッド外殻１００の反対側１０２にあるくぼみソケット１１３に挿入し、電池を充電する作業の場合はくぼみソケット１１３から取り外すことができるという新規の考案品に端を発している。これによりシャワーヘッド外殻１００に適切に動力を与えることができるだけでなく、警告ポッド２００をシャワーヘッド外殻１００から切り離すことによって、充電作業を隔離して行なうこともでき、これにより従来の「フィルタ交換を事前に警告する装置を備えた手持ち式シャワーヘッド」で生じた問題が完全に解決され、たとえ信号回路装置３００内のＤＣ電力供給源がなくなっても、シャワーヘッド外殻１００全体を廃棄および交換する必要がなくなる。よって資源の無駄をなくすだけでなく、シャワーヘッドを頻繁に交換することによって被る経済的な費用も節約できる。したがって本発明は、特許性の評価基準を満たしており、その理由は、その固有の新規性に加えて最大値の産業的用途を有するためである。したがって関連する特許法に従って本特許出願を提出する。
【符号の説明】
【００３８】
１０  シャワーヘッド
１１  水の出口
１２  ねじ山
１４  ねじ
２０  ベースシート
２１  水チャンバ
２２  水の入り口通路
２３  出口通路
２４  回転軸
３０  カバーシート  
３１  水の入り口
３２  水の出口
３３  支持軸
３４  中央合わせ釘
４０  推進車輪
４１  くぼみ
４２  磁気要素
５０  信号回路装置
５１  マイクロプロセッサ
５２  ＤＣ電力供給源
５３  変換器
５４、５５  リセットスイッチ
５６  ＬＣＤディスプレイ回路
５７  ブザー
５８  信号受信機
６０  フィルタ取っ手、ハンドルフィルタ
６２  濾過要素
７０  内側の蓋
７１  内側の面
７２  インペラーハブノッチ
７３  水の出口
７４  ねじ穴
８０  インペラー
８１  ハブ
８２  磁気要素
９０  フード
９１  輪状の雌ねじ山
９２  噴霧孔
１００  シャワーヘッド外殻
１０１  表側
１０２  反対側
１０３  マントル
１０４  ハンドルの台尻
１０５  水の浸入口
１０６  管状のねじ山
１０７  収容部
１０８  インペラーウェル
１０９  水の出口孔ベース
１１０  インペラーハブノッチ
１１１  水の入り口通路
１１２  水の出口通路
１１３  くぼみソケット
１１４  末端のラッチ係合刻み目
１１５  スナップ式のラッチ係合突起
１１６  溝
１２０  雄ねじ山
２００  警告ポッド
２０１  透明の蓋
２０２  設置空洞
２０３  末端ラッチ係合突起
２０４  スナップ式のラッチ係合刻み目
２０５  パッシブ充電電極
３００  信号回路装置  
３０１  マイクロプロセッサ
３０２  ＬＣＤディスプレイ回路
３０３  充電式電池
３０４  磁気リードスイッチ
４００  電池充電台
４０１  充電空洞
４０２  アクティブ充電電極
５００  シャワーヘッド外殻
５０１  表側
５０２  反対側
５０３  マントル
５０４  ハンドルの台尻
５０５  水の進入口
５０６  管状のねじ山
５０７  収容部
５０８  インペラーウェル
５０９  水の出口
５１０  インペラーハブノッチ
５１２  水の出口通路
５１３  くぼみソケット
５１４  末端のラッチ係合刻み目
５１６  溝
５２０  雄ねじ山
６００  内側パネル
６０１  スナップ式のラッチ係合突起
６０２  インペラーハブノッチ
７００  内側の蓋
７０１  内向きの面
７０２  インペラーハブノッチ
７０３  水出口
Ｆ１  下向きの力
Ｓ  セルフタッピングねじ
Ｐ  水のパイプ
Ｗ  ワイヤ
【図１】
0005594615.tif 000002
【図２】
0005594615.tif 000003
【図３】
0005594615.tif 000004
【図４】
0005594615.tif 000005
【図５】
0005594615.tif 000006
【図６】
0005594615.tif 000007
【図７】
0005594615.tif 000008
【図８】
0005594615.tif 000009
【図９】
0005594615.tif 000010
【図１０】
0005594615.tif 000011
【図１１】
0005594615.tif 000012
【図１２】
0005594615.tif 000013
【図１３】
0005594615.tif 000014
【図１４】
0005594615.tif 000015
【図１５】
0005594615.tif 000016
【図１６】
0005594615.tif 000017
【図１７】
0005594615.tif 000018
【図１８】
0005594615.tif 000019
【図１９】
0005594615.tif 000020
【図２０】
0005594615.tif 000021
【図２１】
0005594615.tif 000022
【図２２】
0005594615.tif 000023
【図２３】
0005594615.tif 000024
【図２４】
0005594615.tif 000025
【図２５】
0005594615.tif 000026
【図２６】
0005594615.tif 000027
【図２７】
0005594615.tif 000028
【図２８】
0005594615.tif 000029
【図２９】
0005594615.tif 000030
【図３０】
0005594615.tif 000031
【図３１】
0005594615.tif 000032
【図３２】
0005594615.tif 000033
【図３３】
0005594615.tif 000034
【図３４】
0005594615.tif 000035
【図３５】
0005594615.tif 000036
【図３６】
0005594615.tif 000037
【図３７】
0005594615.tif 000038
【図３８】
0005594615.tif 000039
【図３９】
0005594615.tif 000040
【図４０】
0005594615.tif 000041
【図４１】
0005594615.tif 000042
【図４２】
0005594615.tif 000043